(57)【特許請求の範囲】
【請求項１】
所定の通信ネットワークを介しての通信処理を行う通信回路と、位置検出用信号の受信処理を行う位置検出用の受信回路とを具備し、かつ前記通信回路および前記受信回路は一方が有効とされているときには他方が無効とされる携帯通信端末において、
前記通信回路と前記受信回路とに対応したアンテナ手段と、
外部機器が接続されたとき、その外部機器が前記通信回路および前記受信回路のいずれに対応する種類であるかを前記外部機器からの通知に基づいて検出する検出手段と、
前記通信回路および前記受信回路のうちで有効とされている有効回路を認識する認識手段と、
前記有効回路に対応する種類の外部機器が接続されていないときには前記有効回路を前記アンテナ手段に接続し、前記有効回路に対応する種類の外部機器が接続されているときには前記有効回路を前記外部機器に接続する制御手段とを具備した携帯通信端末。
【請求項２】
前記検出手段は、前記外部機器が接続されているとき、その外部機器が前記受信回路に対応する種類であるか否かを検出し、
かつ前記制御手段は、前記外部機器が接続されているとき、前記通信回路が有効とされているならば前記外部機器の種類に拘らずに前記通信回路を前記外部機器に接続し、また前記受信回路が有効とされているならば前記外部機器が前記受信回路に対応する種類であると前記検出手段により検出されている場合に前記受信回路を前記外部機器に接続する請求項１に記載の携帯通信端末。
【請求項３】
前記アンテナ手段としては、前記通信回路および前記受信回路の双方に対応する共用アンテナを有し、
かつ前記制御手段は、前記有効回路に対応する種類の外部機器が接続されていないときには、前記有効回路が前記通信回路および前記受信回路のいずれであっても前記有効回路を前記共用アンテナに接続する請求項１に記載の携帯通信端末。
【請求項４】
前記アンテナ手段としては、前記通信回路に対応する第１アンテナと前記受信回路に対応する第２アンテナとの２つを有し、
かつ前記制御手段は、前記有効回路に対応する種類の外部機器が接続されていないときには、前記有効回路が前記通信回路であるならばこの通信回路を前記第１アンテナに接続し、また前記有効回路が前記受信回路であるならばこの受信回路を前記第２アンテナに接続する請求項１に記載の携帯通信端末。
【請求項５】
前記請求項１に記載の携帯通信端末へと接続可能な外部機器であって、
前記通信回路および前記受信回路のいずれに対応する種類であるかを前記携帯通信端末へと通知する通知手段を備える外部機器。
【請求項６】
所定の通信ネットワークを介しての通信処理を行う通信回路と、位置検出用信号の受信処理を行う位置検出用の受信回路とを具備するとともに、外部機器を接続可能であって、かつ前記通信回路および前記受信回路は一方が有効とされているときには他方が無効とされる携帯通信端末において、
前記通信回路が有効であるときに第１のレベルであり、前記受信回路が有効であるときに第２のレベルである切替信号を出力する手段と、
第１の端子を有し、前記第１の端子が接地されないときにのみ前記切替信号のレベルを反転させる反転手段と、
第２の端子を有し、前記第２の端子が接地されないときに前記反転手段から出力される前記切替信号と同一レベルとし、前記第２の端子が接地されるときには前記第１のレベルとした制御信号を生成する生成手段と、
前記通信回路と前記受信回路とに対応した共用アンテナと、
前記外部機器を接続するための第３の端子を有し、前記制御信号が第１のレベルのときに前記共用アンテナと前記受信回路とを接続するとともに前記第３の端子と前記通信回路とを接続し、前記制御信号が第２のレベルのときに前記共用アンテナと前記通信回路とを接続するとともに前記第３の端子と前記受信回路とを接続するスイッチとを具備したことを特徴とする携帯通信端末。
【請求項７】
所定の通信ネットワークを介しての通信処理を行う通信回路と、位置検出用信号の受信処理を行う位置検出用の受信回路とを具備するとともに、外部機器を接続可能であって、かつ前記通信回路および前記受信回路は一方が有効とされているときには他方が無効とされる携帯通信端末において、
前記通信回路に対応した第１のアンテナと、
前記受信回路に対応した第２のアンテナと、
前記通信回路が有効であるときに第１のレベルであり、前記受信回路が有効であるときに第２のレベルである切替信号を出力する手段と、
第１の端子を有し、前記第１の端子が接地されないときにのみ前記切替信号のレベルを反転させる反転手段と、
第２の端子を有し、前記第２の端子が接地されないときに前記反転手段から出力される前記切替信号と同一レベルとし、前記第２の端子が接地されるときには前記第１のレベルとして制御信号を生成する生成手段と、
前記外部機器を接続するための第３の端子を有し、前記制御信号が第１のレベルのときに前記第２のアンテナと前記受信回路とを接続するとともに前記第３の端子と前記通信回路とを接続し、前記制御信号が第２のレベルのときに前記第１のアンテナと前記通信回路とを接続するとともに前記第３の端子と前記受信回路とを接続するスイッチとを具備したことを特徴とする携帯通信端末。
【請求項８】
前記請求項６または請求項７に記載の携帯通信端末に備えられた前記通信回路および前記受信回路の双方に対応する外部機器であって、
前記外部機器が前記第３の端子に接続されたときに前記第１の端子を接地し、前記第２の端子を接地しない手段を備えることを特徴とする外部機器。
【請求項９】
前記前記請求項６または請求項７に記載の携帯通信端末に備えられた前記通信回路のみに対応する外部機器であって、
前記外部機器が前記第３の端子に接続されたときに前記第１の端子および前記第２の端子の双方を接地する手段を備えることを特徴とする外部機器。
【発明の詳細な説明】
【０００１】
【発明の属する技術分野】
本発明は、例えば保守機器、外部アンテナ、あるいはカーキットなどのような外部機器を接続するためのポートを備えた例えば携帯電話機などのような携帯通信端末とその外部機器に関する。
【０００２】
【従来の技術】
ＧＰＳ（Global Positioning System）機能を備えた携帯通信端末では、通常の移動通信を実現するための通信回路と、ＧＰＳ信号を受信するためのＧＰＳ受信回路とをそれぞれ搭載している。これら通信回路およびＧＰＳ受信回路は、通常はそれぞれに専用の内蔵アンテナに接続されるか、共用の内蔵アンテナに選択的に接続される。
【０００３】
ところで、通信回路およびＧＰＳ受信回路には、調整や試験のための保守機器、外部アンテナ、あるいはカーキットなどといった外部機器を接続可能とすることが一般的である。そのために携帯通信端末は、これら外部機器を接続するためのポートを設けることとなる。そして従来は、通信回路に外部機器を接続するためのポートと、ＧＰＳ受信回路に外部機器を接続するためのポートとを個別に設けている。
【０００４】
【発明が解決しようとする課題】
しかしながら上記の従来技術では、通信回路用およびＧＰＳ受信回路用のそれぞれのポートを実装しなければならず、そのために大きな実装空間を確保する必要があった。これは、携帯通信端末の小型化の妨げとなっていた。
【０００５】
また、外部機器を接続する作業者は、外部機器の種類に応じてそれを接続するべきポートを適切に選択しなければならず、面倒である上に、接続誤りが生じる恐れもあった。
【０００６】
本発明はこのような事情を考慮してなされたものであり、その目的とするところは、内部回路と外部機器との適切な接続を可能としながら、外部機器を接続するためのポートの簡略化および接続作業の簡略化を図った携帯通信端末およびその携帯通信端末に適合する外部機器を提供することにある。
【０００７】
【課題を解決するための手段】
以上の目的を達成するために本発明は、携帯通信端末へと接続される外部機器は、通信回路および受信回路のいずれに対応する種類であるかを携帯通信端末へと通知する通知手段を備える。
【０００８】
携帯通信端末は、前記通信回路と前記受信回路とに対応したアンテナ手段と、外部機器が接続されたとき、その外部機器が前記通信回路および前記受信回路のいずれに対応する種類であるかを前記外部機器からの通知に基づいて検出する検出手段と、前記通信回路および前記受信回路のうちで有効とされている有効回路を認識する認識手段と、前記有効回路に対応する種類の外部機器が接続されていないときには前記有効回路を前記アンテナ手段に接続し、前記有効回路に対応する種類の外部機器が接続されているときには前記有効回路を前記外部機器に接続する制御手段とを備えた。
【０００９】
このような手段を講じたことにより、複数種類の外部機器を任意に接続すれば、その外部機器の種類に応じて有効回路がアンテナおよび外部機器に適切に接続される。
【００１０】
【発明の実施の形態】
以下、図面を参照して本発明の実施形態につき説明する。
【００１１】
（第１の実施形態）
図１は本発明の第１実施形態に係る携帯通信端末の要部構成を示す図である。
【００１２】
この図１に示すように第１実施形態の携帯通信端末は、内蔵アンテナ１、スイッチ２、メイン送受信回路３、ＧＰＳ受信回路４、外部接続ポート５、プルアップ抵抗６，７、ＥＸ−ＯＲゲート８、ＡＮＤゲート９および制御部１０を有している。
【００１３】
内蔵アンテナ１は、この携帯通信端末に固定的に備えられている。内蔵アンテナ１は、メイン送受信回路３による送受信と、ＧＰＳ受信回路４による受信との双方に対応している。すなわち内蔵アンテナ１は、メイン送受信回路３およびＧＰＳ受信回路４により共用される。
【００１４】
スイッチ２は、スイッチ制御信号の状態に応じて、内蔵アンテナ１および外部接続ポート５とメイン送受信回路３およびＧＰＳ受信回路４とを適宜接続する。
【００１５】
スイッチ２による各部の接続状態を図２に示す。
【００１６】
スイッチ制御信号がＨｉｇｈレベルであるときには、スイッチ２は図２（ａ）に示すように、内蔵アンテナ１とメイン送受信回路３とを接続するとともに、外部接続ポート５とＧＰＳ受信回路４とを接続する。スイッチ制御信号がＬｏｗレベルであるときには、スイッチ２は図２（ｂ）に示すように、内蔵アンテナ１とＧＰＳ受信回路４とを接続するとともに、外部接続ポート５とメイン送受信回路３とを接続する。
【００１７】
メイン送受信回路３は、図示しない移動通信網を介しての通常の移動通信を実現するための通信処理を行う。
【００１８】
ＧＰＳ受信回路４は、図示しないＧＰＳ衛星から送られてくるＧＰＳ信号の受信処理を行う。
【００１９】
外部接続ポート５には、必要に応じて外部機器が接続される。外部接続ポート５は、端子５ａ，５ｂ，５ｃ，５ｄを有している。端子５ａは、複数の信号線をパラレル接続することが可能である。端子５ａは、スイッチ２を介してメイン送受信回路３またはＧＰＳ受信回路４へと接続されている。端子５ｂ，５ｃ，５ｄは、それぞれ単一の端子である。端子５ｂは、プルアップ抵抗６の一端とＥＸ−ＯＲゲート８の入力端へとそれぞれ接続されている。端子５ｃは、プルアップ抵抗７の一端とＡＮＤゲート９の入力端へとそれぞれ接続されている。端子５ｄは、接地されている。
【００２０】
プルアップ抵抗６は、Ｈｉｇｈレベルに相当する電圧レベルの電源線と端子５ｂとの間に介挿されていて、端子５ｂをプルアップする。
【００２１】
プルアップ抵抗６は、Ｈｉｇｈレベルに相当する電圧レベルの電源線と端子５ｃとの間に介挿されていて、端子５ｃをプルアップする。
【００２２】
ＥＸ−ＯＲゲート８の２つの入力端の一方は、端子５ｂに接続されている。ＥＸ−ＯＲゲート８の２つの入力端の他方へは、制御部１０が出力するＧＰＳ切替信号が供給される。ＥＸ−ＯＲゲート８は、端子５ｂがＬｏｗレベルである時にはＧＰＳ切替信号をそのままの論理で出力し、また端子５ｂがＨｉｇｈレベルである時にはＧＰＳ切替信号を論理を反転させて出力する。
【００２３】
ＡＮＤゲート９の２つの入力端の一方は、端子５ｃに接続されている。ＡＮＤゲート９の２つの入力端の他方へは、ＥＸ−ＯＲゲート８の出力端が接続されている。ＡＮＤゲート９は、端子５ｃがＨｉｇｈレベルであるときにのみ、ＥＸ−ＯＲゲート８からの出力を通過させる。ＡＮＤゲート９の出力は、スイッチ制御信号としてスイッチ２へと与えられる。
【００２４】
制御部１０は、ユーザが指定する動作モードなどに基づいてメイン送受信回路３およびＧＰＳ受信回路４のいずれを有効とするかを決定する。制御部１０は、ＧＰＳ受信回路４を有効とすべきときにＧＰＳ切替信号をＨｉｇｈレベルとする。
【００２５】
次に以上のように構成された携帯通信端末の動作につき説明する。
【００２６】
まず、図１に示すように外部接続ポート５に何も外部機器が接続されていない場合、端子５ｂ、５ｃはともにオープン状態である。このため端子５ｂ，５ｃは、プルアップ抵抗６，７によりプルアップされてＨｉｇｈレベルとなっている。
【００２７】
端子５ｂがＨｉｇｈレベルであるから、ＧＰＳ切替信号はその論理が反転された上でＥＸ−ＯＲゲート８より出力される。また端子５ｃがＨｉｇｈレベルであるから、ＥＸ−ＯＲゲート８からの出力はそのままＡＮＤゲート９を通過してスイッチ制御信号としてスイッチ２へと与えられる。
【００２８】
かくして、メイン送受信回路３を有効とするべきであるために制御部１０がＧＰＳ切替信号をＬｏｗレベルとしているならば、スイッチ制御信号はＨｉｇｈレベルとなる。従ってスイッチ２は図２（ａ）に示す状態をなし、内蔵アンテナ１とメイン送受信回路３とが接続される。すなわちこの状態では、メイン送受信回路３が内蔵アンテナ１を使用しての通信処理を行うことが可能である。つまり、移動通信網を介しての通常の通信動作を行うことが可能である。
【００２９】
これに対して、ＧＰＳ受信回路４を有効とするべきであるために制御部１０がＧＰＳ切替信号をＨｉｇｈレベルとしているならば、スイッチ制御信号はＬｏｗレベルとなる。従ってスイッチ２は図２（ｂ）に示す状態をなし、内蔵アンテナ１とＧＰＳ受信回路４とが接続される。すなわちこの状態では、ＧＰＳ受信回路４が内蔵アンテナ１を使用してＧＰＳ信号を受信することが可能である。つまり、位置検出動作を行うことが可能である。
【００３０】
図３は外部接続ポート５に保守機器が接続された状態を示す図である。
【００３１】
図３において参照符号２１を付して示されるものが保守機器である。保守機器２１は、メイン送受信回路３およびＧＰＳ受信回路４の双方に対応し、それらの調整や試験を行う。保守機器２１にはコネクタ２２が設けられていて、このコネクタ２２を外部接続ポート５に接続することで携帯通信端末に接続される。
【００３２】
コネクタ２２は、端子２２ａ，２２ｂ，２２ｃを有している。端子２２ａは、複数の信号線をパラレル接続することが可能である。端子２２ａは、保守機器２１へと接続されている。また端子２２ａは、外部接続ポート５への接続時には端子５ａに接触する。端子２２ｂ，２２ｃは、それぞれ単一の端子である。端子２２ｂ，２２ｃは、互いに接続されている。そして外部接続ポート５への接続時には、端子２２ｂは端子５ｂに、また端子２２ｃは端子５ｄにそれぞれ接触する。
【００３３】
図３に示すようにコネクタ２２が外部接続ポート５に接続されていると、端子５ｂと端子５ｄとがコネクタ２２を介して短絡される。この結果、端子５ｂが接地され、Ｌｏｗレベルとなる。端子５ｂがＬｏｗレベルであるから、ＧＰＳ切替信号はそのままＥＸ−ＯＲゲート８より出力される。一方、コネクタ２２は、端子５ｃに接触する端子を有していない。この結果、端子５ｃはプルアップ抵抗７によりプルアップされてＨｉｇｈレベルとなっている。端子５ｃがＨｉｇｈレベルであるから、ＥＸ−ＯＲゲート８からの出力はそのままＡＮＤゲート９を通過してスイッチ制御信号としてスイッチ２へと与えられる。
【００３４】
かくして、メイン送受信回路３を有効とするべきであるために制御部１０がＧＰＳ切替信号をＬｏｗレベルとしているならば、スイッチ制御信号はＬｏｗレベルとなる。従ってスイッチ２は図２（ｂ）に示す状態をなし、メイン送受信回路３と端子５ａとが接続される。すなわちこの状態では、メイン送受信回路３が外部接続ポート５およびコネクタ２２を介して保守機器２１に接続される。つまり、保守機器２１によりメイン送受信回路３の調整や試験を行うことが可能である。
【００３５】
これに対して、ＧＰＳ受信回路４を有効とするべきであるために制御部１０がＧＰＳ切替信号をＨｉｇｈレベルとしているならば、スイッチ制御信号はＨｉｇｈレベルとなる。従ってスイッチ２は図２（ａ）に示す状態をなし、ＧＰＳ受信回路４と端子５ａとが接続される。すなわちこの状態では、ＧＰＳ受信回路４が外部接続ポート５およびコネクタ２２を介して保守機器２１に接続される。つまり、保守機器２１によりＧＰＳ受信回路４の調整や試験を行うことが可能である。
【００３６】
図４は外部接続ポート５に外部アンテナが接続された状態を示す図である。
【００３７】
図４において参照符号３１を付して示されるものが外部アンテナである。この外部アンテナ３１は、メイン送受信回路３およびＧＰＳ受信回路４の双方に対応する。外部アンテナ３１にはコネクタ３２が設けられていて、このコネクタ３２を外部接続ポート５に接続することで携帯通信端末に接続される。
【００３８】
コネクタ３２は、端子３２ａ，３２ｂ，３２ｃを有している。端子３２ａは、複数の信号線をパラレル接続することが可能である。端子３２ａは、外部アンテナ３１へと接続されている。また端子３２ａは、外部接続ポート５への接続時には端子５ａに接触する。端子３２ｂ，３２ｃは、それぞれ単一の端子である。端子３２ｂ，３２ｃは、互いに接続されている。そして外部接続ポート５への接続時には、端子３２ｂは端子５ｂに、また端子３２ｃは端子５ｄにそれぞれ接触する。
【００３９】
図４に示すようにコネクタ３２が外部接続ポート５に接続されていると、端子５ｂと端子５ｄとがコネクタ３２を介して短絡される。この結果、端子５ｂが接地され、Ｌｏｗレベルとなる。端子５ｂがＬｏｗレベルであるから、ＧＰＳ切替信号はそのままＥＸ−ＯＲゲート８より出力される。一方、コネクタ３２は、端子５ｃに接触する端子を有していない。この結果、端子５ｃはプルアップ抵抗７によりプルアップされてＨｉｇｈレベルとなっている。端子５ｃがＨｉｇｈレベルであるから、ＥＸ−ＯＲゲート８からの出力はそのままＡＮＤゲート９を通過してスイッチ制御信号としてスイッチ２へと与えられる。
【００４０】
かくして、メイン送受信回路３を有効とするべきであるために制御部１０がＧＰＳ切替信号をＬｏｗレベルとしているならば、スイッチ制御信号はＬｏｗレベルとなる。従ってスイッチ２は図２（ｂ）に示す状態をなし、メイン送受信回路３と端子５ａとが接続される。すなわちこの状態では、メイン送受信回路３が外部接続ポート５およびコネクタ３２を介して外部アンテナ３１に接続される。つまり、メイン送受信回路３が外部アンテナ３１を使用しての通信処理を行うことが可能である。
【００４１】
これに対して、ＧＰＳ受信回路４を有効とするべきであるために制御部１０がＧＰＳ切替信号をＨｉｇｈレベルとしているならば、スイッチ制御信号はＨｉｇｈレベルとなる。従ってスイッチ２は図２（ａ）に示す状態をなし、ＧＰＳ受信回路４と端子５ａとが接続される。すなわちこの状態では、ＧＰＳ受信回路４が外部接続ポート５およびコネクタ３２を介して外部アンテナ３１に接続される。つまり、ＧＰＳ受信回路４が外部アンテナ３１を使用してＧＰＳ信号を受信することが可能である。
【００４２】
図５は外部接続ポート５に外部アンテナが接続された状態を示す図である。
【００４３】
図５において参照符号４１を付して示されるものが外部アンテナである。この外部アンテナ４１は、メイン送受信回路３にのみ対応する。外部アンテナ４１にはコネクタ４２が設けられていて、このコネクタ４２を外部接続ポート５に接続することで携帯通信端末に接続される。
【００４４】
コネクタ４２は、端子４２ａ，４２ｂ，４２ｃ，４２ｄを有している。端子４２ａは、複数の信号線をパラレル接続することが可能である。端子４２ａは、外部アンテナ４１へと接続されている。また端子４２ａは、外部接続ポート５への接続時には端子５ａに接触する。端子４２ｂ，４２ｃ，４２ｄは、それぞれ単一の端子である。端子４２ｂ，４２ｃ，４２ｄは、互いに接続されている。そして外部接続ポート５への接続時には、端子４２ｂは端子５ｂに、また端子４２ｃは端子５ｃに、さらに端子４２ｄは端子５ｄにそれぞれ接触する。
【００４５】
図５に示すようにコネクタ４２が外部接続ポート５に接続されていると、端子５ｂと端子５ｄとがコネクタ４２を介して短絡される。この結果、端子５ｂが接地され、Ｌｏｗレベルとなる。端子５ｂがＬｏｗレベルであるから、ＧＰＳ切替信号はそのままＥＸ−ＯＲゲート８より出力される。また、端子５ｃと端子５ｄとがコネクタ４２を介して短絡される。この結果、端子５ｃが接地され、Ｌｏｗレベルとなる。端子５ｃがＬｏｗレベルであるから、ＡＮＤゲート９は閉じ、スイッチ制御信号はＧＰＳ切替信号に拘わらずにＬｏｗレベルとなる。
【００４６】
かくして、スイッチ２は常に図２（ｂ）に示す状態をなし、メイン送受信回路３と端子５ａとが接続される。また、内蔵アンテナ１とＧＰＳ受信回路４とが接続される。すなわちこの状態では、メイン送受信回路３を動作させれば、外部アンテナ４１を使用しての通信処理を行うことが可能である。またＧＰＳ受信回路４を動作させれば、内蔵アンテナ１を使用してＧＰＳ信号を受信することが可能である。
【００４７】
以上のように本実施形態では、内蔵アンテナ１および外部接続ポート５にはメイン送受信回路３およびＧＰＳ受信回路４をスイッチ２により選択的に接続可能としている。また外部接続ポート５には、端子５ｂ，５ｃ，５ｄを設け、端子５ｂ，５ｃをそれぞれプルアップするとともに、端子５ｄを接地することで、端子５ｂ−端子５ｄ間および端子５ｃ−端子５ｄ間の短絡状況を検出可能としている。一方、外部機器側では、ＧＰＳ受信回路４に対応する保守機器２１および外部アンテナ３１では、コネクタ２２，３２にて端子５ｂ−端子５ｄ間のみを短絡させる。ＧＰＳ受信回路４に対応しない外部アンテナ４１では、コネクタ４２にて端子５ｂ−端子５ｄ間および端子５ｃ−端子５ｄ間の双方を短絡させる。
【００４８】
かくして、端子５ｂ−端子５ｄ間および端子５ｃ−端子５ｄ間の短絡状況に基づいて、以下のように外部機器の接続状況が確認できる。
【００４９】
(1)  端子５ｂ−端子５ｄ間および端子５ｃ−端子５ｄ間のいずれも短絡されていなければ、外部機器は接続されていない。
【００５０】
(2)  端子５ｂ−端子５ｄ間のみが短絡されていれば、ＧＰＳ受信回路４に対応する外部機器が接続されている。
【００５１】
(3)  端子５ｂ−端子５ｄ間および端子５ｃ−端子５ｄ間の双方が短絡されていれば、ＧＰＳ受信回路４に対応しない外部機器が接続されている。
【００５２】
そして、端子５ｂ−端子５ｄ間および端子５ｃ−端子５ｄ間の短絡状況と、メイン送受信回路３およびＧＰＳ受信回路４のいずれが有効であるかを示すＧＰＳ切替信号とに基づいてＥＸ−ＯＲゲート８およびＡＮＤゲート９によりスイッチ制御信号を生成し、これによりスイッチ２を制御することで、上述のような種々の接続形態を実現している。
【００５３】
このように本実施形態によれば、外部接続ポート５はメイン送受信回路３と外部機器との接続およびＧＰＳ受信回路４と外部機器との接続のぞれぞれのために共用していながら、メイン送受信回路３およびＧＰＳ受信回路４と内蔵アンテナ１および外部機器との接続を適切に行うことが可能である。
【００５４】
また本実施形態によれば、外部機器を携帯通信端末に接続しようとする作業者は、外部機器の種類を考えることなく、一律に外部接続ポート５へと接続すれば良いから、その作業は非常に簡易となり、また接続ミスも生じない。
【００５５】
（第２の実施形態）
図６は本発明の第２実施形態に係る携帯通信端末の要部構成を示す図である。なお、図６において図１と同一部分には同一符号を付し、その詳細な説明は省略する。
【００５６】
この図６に示すように第２実施形態の携帯通信端末は、メイン送受信回路３、ＧＰＳ受信回路４、外部接続ポート５、プルアップ抵抗６，７、ＥＸ−ＯＲゲート８、ＡＮＤゲート９、制御部１０、第１内蔵アンテナ５１、第２内蔵アンテナ５２およびスイッチ５３を有している。
【００５７】
すなわち第２実施形態の携帯通信端末は、前述の第１実施形態の携帯通信端末における内蔵アンテナ１に代えて第１内蔵アンテナ５１および第２内蔵アンテナ５２を設けるとともに、スイッチ２に代えてスイッチ５３を設けている。
【００５８】
第１内蔵アンテナ５１は、この携帯通信端末に固定的に備えられている。第１内蔵アンテナ５１は、メイン送受信回路３による送受信に対応している。第１内蔵アンテナ５１は、ＧＰＳ受信回路４による受信には対応していない。
【００５９】
第２内蔵アンテナ５２は、この携帯通信端末に固定的に備えられている。第２内蔵アンテナ５２は、ＧＰＳ受信回路４による受信に対応している。第２内蔵アンテナ５２は、メイン送受信回路３による送受信には対応していない。
【００６０】
スイッチ５３は、スイッチ制御信号の状態に応じて、第１内蔵アンテナ５１、第２内蔵アンテナ５２および外部接続ポート５とメイン送受信回路３およびＧＰＳ受信回路４とを適宜接続する。具体的には、スイッチ５３は、スイッチ制御信号がＨｉｇｈレベルであるときには図６に実線で示す接続形態をなす。またスイッチ５３は、スイッチ制御信号がＬｏｗレベルであるときには図６に破線で示す接続形態をなす。
【００６１】
次に以上のように構成された携帯通信端末の動作につき説明する。
【００６２】
この第２実施形態の携帯通信端末においても、前述の第１実施形態と同様にしてスイッチ制御信号の生成がなされる。
【００６３】
すなわち、図６に示すように外部機器が接続されておらず、かつメイン送受信回路３を有効とするべきであるために制御部１０がＧＰＳ切替信号をＬｏｗレベルとしているならば、スイッチ制御信号はＨｉｇｈレベルとなる。従ってスイッチ５３は図６に実線で示す接続状態をなし、第１内蔵アンテナ５１とメイン送受信回路３とが接続される。すなわちこの状態では、メイン送受信回路３が第１内蔵アンテナ５１を使用しての通信処理を行うことが可能である。つまり、移動通信網を介しての通常の通信動作を行うことが可能である。
【００６４】
これに対して、図６に示すように外部機器が接続されておらず、かつＧＰＳ受信回路４を有効とするべきであるために制御部１０がＧＰＳ切替信号をＨｉｇｈレベルとしているならば、スイッチ制御信号はＬｏｗレベルとなる。従ってスイッチ５３は図６に破線で示す接続状態をなし、第２内蔵アンテナ５２とＧＰＳ受信回路４とが接続される。すなわちこの状態では、ＧＰＳ受信回路４が第２内蔵アンテナ５２を使用してＧＰＳ信号を受信することが可能である。つまり、位置検出動作を行うことが可能である。
【００６５】
図３に示す保守機器２１や図４に示す外部アンテナ３１のような、メイン送受信回路３およびＧＰＳ受信回路４の双方に対応する外部機器が接続されており、かつメイン送受信回路３を有効とするべきであるために制御部１０がＧＰＳ切替信号をＬｏｗレベルとしているならば、スイッチ制御信号はＬｏｗレベルとなる。従ってスイッチ５３は図６に破線で示す接続状態をなし、メイン送受信回路３と端子５ａとが接続される。すなわちこの状態では、メイン送受信回路３が外部接続ポート５およびコネクタ３２を介して外部機器に接続される。
【００６６】
これに対して、メイン送受信回路３およびＧＰＳ受信回路４の双方に対応する外部機器が接続されており、かつＧＰＳ受信回路４を有効とするべきであるために制御部１０がＧＰＳ切替信号をＨｉｇｈレベルとしているならば、スイッチ制御信号はＨｉｇｈレベルとなる。従ってスイッチ５３は図６に実線で示す接続状態をなし、ＧＰＳ受信回路４と端子５ａとが接続される。すなわちこの状態では、ＧＰＳ受信回路４が外部接続ポート５およびコネクタ３２を介して外部機器に接続される。
【００６７】
図５に示す外部アンテナ４１のような、メイン送受信回路３にのみ対応する外部機器が接続されているならば、ＧＰＳ切替信号に拘わらずにＬｏｗレベルとなる。かくして、スイッチ５３は常に図６に破線で示す接続状態をなし、メイン送受信回路３と端子５ａとが接続される。また、第２内蔵アンテナ５２とＧＰＳ受信回路４とが接続される。すなわちこの状態では、メイン送受信回路３を動作させれば、外部機器との間で信号の授受を行うことが可能である。またＧＰＳ受信回路４を動作させれば、第２内蔵アンテナ５２を使用してＧＰＳ信号を受信することが可能である。
【００６８】
以上のように本実施形態では、第１内蔵アンテナ５１、第２内蔵アンテナ５２および外部接続ポート５にはメイン送受信回路３およびＧＰＳ受信回路４をスイッチ５３により選択的に接続可能としている。また外部接続ポート５には、端子５ｂ，５ｃ，５ｄを設け、端子５ｂ，５ｃをそれぞれプルアップするとともに、端子５ｄを接地することで、端子５ｂ−端子５ｄ間および端子５ｃ−端子５ｄ間の短絡状況を検出可能としている。
【００６９】
そして、端子５ｂ−端子５ｄ間および端子５ｃ−端子５ｄ間の短絡状況と、メイン送受信回路３およびＧＰＳ受信回路４のいずれが有効であるかを示すＧＰＳ切替信号とに基づいてＥＸ−ＯＲゲート８およびＡＮＤゲート９によりスイッチ制御信号を生成し、これによりスイッチ５３を制御することで、上述のような種々の接続形態を実現している。
【００７０】
このように本実施形態によれば、外部接続ポート５はメイン送受信回路３と外部機器との接続およびＧＰＳ受信回路４と外部機器との接続のぞれぞれのために共用していながら、メイン送受信回路３およびＧＰＳ受信回路４と、第１内蔵アンテナ５１、第２内蔵アンテナ５２および外部機器との接続を適切に行うことが可能である。
【００７１】
（第３の実施形態）
図７は本発明の第３実施形態に係る携帯通信端末の要部構成とその外部機器としてのカーキットの要部構成を示す図である。なお、図７において図１と同一部分には同一符号を付し、その詳細な説明は省略する。
【００７２】
この図７に示すように第３実施形態の携帯通信端末は、内蔵アンテナ１、スイッチ２、メイン送受信回路３、ＧＰＳ受信回路４、外部接続ポート６１および制御部６２を有している。
【００７３】
外部接続ポート６１には、必要に応じてカーキット７１が接続される。外部接続ポート６１は、端子６１ａ，６１ｂを有している。端子６１ａは、複数の信号線をパラレル接続することが可能である。端子６１ａは、スイッチ２を介してメイン送受信回路３またはＧＰＳ受信回路４へと接続されている。端子６１ｂは、複数の信号線をパラレル接続することが可能である。端子６１ｂは、制御部６２に接続されている。
【００７４】
制御部６２は、例えばマイクロプロセッサを主体としてなる。制御部６２は、ユーザが指定する動作モードなどに基づいてメイン送受信回路３およびＧＰＳ受信回路４のいずれを有効とするかを決定する。また制御部６２は、端子６１ｂを介してカーキット７１からの種別情報の取得を試み、種別情報の取得の成否や取得した種別情報の内容に応じてカーキット７１の接続状態を検出する。さらに制御部６２は、上記の決定結果や検出結果に応じてスイッチ制御信号を出力する。
【００７５】
図７において参照符号７１を付して示されるものがカーキットである。
【００７６】
このカーキット７１にはコネクタ７２が設けられていて、このコネクタ７２を外部接続ポート６１に接続することで携帯通信端末に接続される。
【００７７】
コネクタ７２は、端子７２ａ，７２ｂを有している。端子７２ａは、複数の信号線をパラレル接続することが可能である。端子７２ａは、カーキット７１へと接続されている。また端子７２ａは、外部接続ポート６１への接続時には端子６１ａに接触する。端子７２ｂは、複数の信号線をパラレル接続することが可能である。端子７２ｂは、外部接続ポート６１への接続時には端子６１ｂに接触する。
【００７８】
またカーキット７１には外部アンテナ７３が接続可能である。カーキット７１は、端子７２ａと外部アンテナ７３とを図示しないブースターなどの周知の回路を介して接続する。
【００７９】
さらにカーキット７１は、設定スイッチ７１ａおよび制御部７１ｂを有する。
【００８０】
設定スイッチ７１ａは、外部アンテナ７３がＧＰＳ信号の受信に対応するものであるか否かの設定をユーザに行わせるためのスイッチである。設定スイッチ７１ａは、その設定内容を制御部７１ｂへと通知する。
【００８１】
制御部７１ｂは、例えばマイクロプロセッサを主体としてなり、カーキット７１の動作を制御する。制御部７１ｂは、設定スイッチ７１ａからの通知内容に応じた種別情報を生成し、これを端子７２ｂを介して制御部６２へと与える。
【００８２】
次に以上のように構成された携帯通信端末の動作につき説明する。
【００８３】
まずカーキット７１は、接続される外部アンテナ７３がＧＰＳ信号の受信に対応するものであるか否かによって、ＧＰＳ受信回路４に対応する外部機器となるか否かが変化する。そこで、接続される外部アンテナ７３がＧＰＳ信号の受信に対応するものであるか否かのユーザ設定を設定スイッチ７１ａにより受け付ける。そして制御部７１ｂは、設定スイッチ７１ａの設定に応じて、ＧＰＳ受信回路４に対応する外部機器であるか否かを携帯通信端末に通知するための種別情報を生成する。
【００８４】
一方、携帯通信端末にて制御部６２は、所定の時間間隔毎などのような所定タイミング毎に図８に示すようなスイッチ制御処理を実行する。
【００８５】
このスイッチ制御処理において制御部６２は、まずステップＳＴ１において、端子６１ｂを介しての種別情報の取得を試みる。そして制御部６２はステップＳＴ２において、種別情報が取得できたか否かを確認する。
【００８６】
ここで、カーキット７１が接続されていないと、端子６１ｂはオープン状態であって、制御部６２は種別情報を取得することができない。すなわち、種別情報が取得できなかったことをステップＳＴ２にて確認したことをもって、制御部６２はカーキット７２が接続されていないことを検出する。そしてこの場合に制御部６２はステップＳＴ３において、ＧＰＳモードが設定されているか否かを確認する。ＧＰＳモードは、ＧＰＳ受信回路４により位置検出処理を行う動作モードである。
【００８７】
ここでＧＰＳモードが設定されていないことを確認したならば、制御部６２はステップＳＴ４においてスイッチ制御信号をＨｉｇｈレベルとする。これにより、スイッチ２が図２（ａ）に示す状態をなし、内蔵アンテナ１とメイン送受信回路３とが接続される。すなわちこの状態では、メイン送受信回路３が内蔵アンテナ１を使用しての通信処理を行うことが可能である。つまり、移動通信網を介しての通常の通信動作を行うことが可能である。
【００８８】
これに対して、ＧＰＳモードが設定されていることをステップＳＴ３にて確認したならば、制御部６２はステップＳＴ５において、スイッチ制御信号をＬｏｗレベルとする。これにより、スイッチ２は図２（ｂ）に示す状態をなし、内蔵アンテナ１とＧＰＳ受信回路４とが接続される。すなわちこの状態では、ＧＰＳ受信回路４が内蔵アンテナ１を使用してＧＰＳ信号を受信することが可能である。つまり、位置検出動作を行うことが可能である。
【００８９】
ところで、外部接続ポート６１にコネクタ７２を介してカーキット７１が接続されていると、制御部６２は端子６１ｂ，７２ｂを介して制御部７１ｂから種別情報を取得することができる。そこで種別情報を取得できたことをステップＳＴ２で確認したならば、続いて制御部６２はステップＳＴ６において、カーキット７１がＧＰＳ受信回路４に対応するか否かを種別情報に基づいて確認する。
【００９０】
ここでカーキット７１がＧＰＳ受信回路４に対応しないことを確認したならば、制御部６２はステップＳＴ５において、スイッチ制御信号をＬｏｗレベルとする。これにより、スイッチ２は図２（ｂ）に示す状態をなし、メイン送受信回路３と端子５ａとが接続される。また、内蔵アンテナ１とＧＰＳ受信回路４とが接続される。すなわちこの状態では、メイン送受信回路３を動作させれば、メイン送受信回路３を動作させれば、カーキット７１を介して外部アンテナ７３を使用しての通信処理を行うことが可能である。またＧＰＳ受信回路４を動作させれば、内蔵アンテナ１を使用してＧＰＳ信号を受信することが可能である。
【００９１】
カーキット７１がＧＰＳ受信回路４に対応することをステップＳＴ６にて確認したならば、制御部６２は続いてステップＳＴ７において、ＧＰＳモードが設定されているか否かを確認する。
【００９２】
ここでカーキット７１がＧＰＳ受信回路４に対応することを確認したならば、制御部６２はステップＳＴ４において、スイッチ制御信号をＨｉｇｈレベルとする。これにより、スイッチ２が図２（ａ）に示す状態をなし、ＧＰＳ受信回路４と端子５ａとが接続される。すなわちこの状態では、カーキット７１を介して外部アンテナ７３を使用してのＧＰＳ信号の受信をＧＰＳ受信回路４が行うことが可能である。
【００９３】
これに対して、カーキット７１がＧＰＳ受信回路４に対応しないことをステップＳＴ７にて確認したならば、制御部６２はステップＳＴ５において、スイッチ制御信号をＬｏｗレベルとする。これにより、スイッチ２は図２（ｂ）に示す状態をなし、メイン送受信回路３と端子５ａとが接続される。すなわちこの状態では、メイン送受信回路３がカーキット７１を介して外部アンテナ７３を使用しての通信処理を行うことが可能である。
【００９４】
なお、ステップＳＴ４またはステップＳＴ５の処理を完了したならば、制御部６２はそれをもってスイッチ制御処理を終了する。
【００９５】
以上のように本実施形態では、携帯通信端末は、内蔵アンテナ１および外部接続ポート５にはメイン送受信回路３およびＧＰＳ受信回路４をスイッチ２により選択的に接続可能としている。また外部接続ポート５には、端子６１ｂを設け、カーキット７１の制御部７１ｂから出力される種別情報を取り込み可能としている。
【００９６】
一方、カーキット７１は、ＧＰＳ受信回路４に対応するか否かを示す種別情報を端子７２ｂを介して出力可能としている
かくして、携帯通信端末では、端子６１ｂを介しての種別情報の取得状況に応じてカーキット７１の接続状況を確認できる。そしてカーキット７１の接続状況と動作モードとに基づいて、制御部６２がスイッチ２を制御することで、上述のような種々の接続形態を実現している。
【００９７】
このように本実施形態によれば、外部接続ポート６１はメイン送受信回路３とカーキット７１との接続およびＧＰＳ受信回路４とカーキット７１との接続のそれぞれのために共用していながら、メイン送受信回路３およびＧＰＳ受信回路４と、内蔵アンテナ１およびカーキット７１との接続を適切に行うことが可能である。
【００９８】
なお、本発明は前記各実施形態に限定されるものではない。例えば前記各実施形態では、外部機器がＧＰＳ受信回路４に対応するものおよび対応しないものの２種類のいずれであるかの検出を行うこととしているが、２種類以上を識別することとしても良い。
【００９９】
保守機器がＧＰＳ受信回路４に対応するものとしないものとが存在する場合、外部アンテナの場合と同様にしてそれらを区別して接続形態を切り換えるようにすることも可能である。
【０１００】
また前記各実施形態では、外部機器はすべてメイン送受信回路３には対応するものとしているが、ＧＰＳ受信回路４にのみ対応する外部機器を接続できるようにすることも可能である。この場合、このような外部機器が接続されていることを検出可能とするとともに、それが検出されているときにはメイン送受信回路３をそれに対応した内蔵アンテナに接続し、またＧＰＳ受信回路４を外部接続ポートに接続すれば良い。
【０１０１】
前記第３実施形態においても、保守機器を外部接続ポート６１へと接続することが可能である。ただしこの場合は、保守機器に種別情報を出力する機能を備える。また、種別情報を出力する機能を備えておけば、外部アンテナを直接的に外部接続ポート６１へと接続することも可能である。
【０１０２】
また、外部機器は前記各実施形態に示される保守機器、外部アンテナおよびカーキットには限らず、任意の機器であって良い。
【０１０３】
このほか、本発明の要旨を逸脱しない範囲で種々の変形実施が可能である。
【０１０４】
【発明の効果】
本発明によれば、接続された外部機器の種類を検出し、通信回路および受信回路のうちで有効とされている有効回路を、上記の検出結果に基づいてアンテナや外部機器へと接続することとしたので、複数種類の外部機器を選択的に接続すれば、その外部機器の種類に応じて有効回路がアンテナおよび外部機器に適切に接続されることとなる。この結果、内部回路と外部機器との適切な接続を可能としながら、外部機器を接続するためのポートの簡略化および接続作業の簡略化を図ることが可能となる。
【図面の簡単な説明】
【図１】本発明の第１実施形態に係る携帯通信端末の要部構成を示す図。
【図２】スイッチ２による各部の接続状態を示す図。
【図３】外部接続ポート５に保守機器が接続された状態を示す図。
【図４】外部接続ポート５にＧＰＳ受信回路４に対応する外部アンテナが接続された状態を示す図。
【図５】外部接続ポート５にＧＰＳ受信回路４に対応しない外部アンテナが接続された状態を示す図。
【図６】本発明の第２実施形態に係る携帯通信端末の要部構成を示す図。
【図７】本発明の第３実施形態に係る携帯通信端末の要部構成とその外部機器としてのカーキットの要部構成を示す図。
【図８】スイッチ制御処理のフローチャート。
【符号の説明】
１…内蔵アンテナ
２…スイッチ
３…メイン送受信回路
４…受信回路
５，６１…外部接続ポート
６，７…プルアップ抵抗
８…ＥＸ−ＯＲゲート
９…ＡＮＤゲート
１０，６２…制御部
２１…保守機器
２２，３２，４２…コネクタ
３１，４１…外部アンテナ
５１…第１内蔵アンテナ
５２…第２内蔵アンテナ
５３…スイッチ
６２…制御部
７１…カーキット
７１ａ…設定スイッチ
７１ｂ…制御部
７２…コネクタ
７３…外部アンテナ
【図１】
0003727888.tif 000002
【図２】
0003727888.tif 000003
【図３】
0003727888.tif 000004
【図４】
0003727888.tif 000005
【図５】
0003727888.tif 000006
【図６】
0003727888.tif 000007
【図７】
0003727888.tif 000008
【図８】
0003727888.tif 000009